(57)【要約】      （修正有）【課題】眼内への入射光量が多くなるほどＳ／Ｎ比が向上し、より鮮明な画像の取得が可能になる。しかしながら、眼科撮影装置は、安全性の観点から瞳や網膜（眼底）への単位面積当たりの入射光量を制限する必要がある。安全性を確保しつつ、眼内への入射光量を増加させることが可能な眼科撮影装置を提供する。【解決手段】眼科撮影装置は、被検眼の眼底を光でスキャンするためのスキャン光学系を含む。スキャン光学系は、被検眼の瞳と光学的に略共役な位置において光軸に直交する面内における光の通過位置を変更しつつ眼底を光でスキャンする。【選択図】図１
2017169672.tif 000002
【特許請求の範囲】
【請求項１】
被検眼の眼底を光でスキャンするためのスキャン光学系を含む眼科撮影装置であって、
前記スキャン光学系は、前記被検眼の瞳と光学的に略共役な位置において光軸に直交する面内における光の通過位置を変更しつつ前記眼底を前記光でスキャンする
ことを特徴とする眼科撮影装置。
【請求項２】
前記スキャン光学系は、
前記光を第１方向に偏向する第１光スキャナと、
前記第１光スキャナにより偏向された光を前記第１方向と異なる第２方向に偏向する第２光スキャナと、
を含み、
前記第１光スキャナの偏向面又は前記第１光スキャナと前記第２光スキャナとの間の位置は、前記瞳と光学的に略共役な位置に配置され、かつ、前記第２光スキャナの偏向面は前記瞳と光学的に非共役な位置に配置されている
ことを特徴とする請求項１に記載の眼科撮影装置。
【請求項３】
前記スキャン光学系は、
光スキャナと、
前記光を出力する光源と前記光スキャナとの間に配置された屈折光学素子と、
を含み、
前記屈折光学素子を移動する移動機構と、
前記移動機構の制御と、前記スキャン光学系の制御とを並行して実行する制御部と、
を含む
ことを特徴とする請求項１に記載の眼科撮影装置。
【請求項４】
前記屈折光学素子は、一対のプリズムを含み、
前記移動機構は、前記一対のプリズムを一体的に、又は相対的に移動する
ことを特徴とする請求項３に記載の眼科撮影装置。
【請求項５】
前記移動機構は、前記光軸を中心に前記一対のプリズムを一体的に回動する
ことを特徴とする請求項４に記載の眼科撮影装置。
【請求項６】
前記屈折光学素子は、前記光軸に対して斜交配置された平行平面板を含み、
前記移動機構は、前記平行平面板を移動する
ことを特徴とする請求項３に記載の眼科撮影装置。
【請求項７】
前記移動機構は、前記光軸を中心に前記平行平面板を回動する
ことを特徴とする請求項６に記載の眼科撮影装置。
【請求項８】
前記スキャン光学系は、
前記光源と前記光スキャナとの間に配置された光路分岐素子と、
前記光路分岐素子により形成された分岐光路に配置された光検出器と、
を含み、
前記屈折光学素子は、前記光路分岐素子と前記光スキャナとの間に配置されている
ことを特徴とする請求項３〜請求項７のいずれか一項に記載の眼科撮影装置。
【請求項９】
前記スキャン光学系は、
前記光源と前記光スキャナとの間に配置された光路分岐素子と、
前記光路分岐素子により形成された分岐光路に配置された光検出器と、
を含み、
前記屈折光学素子は、前記光路分岐素子と前記光源との間に配置されている
ことを特徴とする請求項３〜請求項７のいずれか一項に記載の眼科撮影装置。
【発明の詳細な説明】
【技術分野】
【０００１】
この発明は、眼科撮影装置に関する。
【背景技術】
【０００２】
眼疾患のスクリーニングや治療などを行うための眼科撮影装置には、簡便に広い視野で被検眼の眼底などの観察や撮影が可能なものが求められている。このような眼科撮影装置として、走査型レーザー検眼鏡（Ｓｃａｎｎｉｎｇ  Ｌａｓｅｒ  Ｏｐｈｔｈａｌｍｏｓｃｏｐｅ：以下、ＳＬＯ）が知られている。ＳＬＯは、光で眼底をスキャンし、その戻り光を受光デバイスで検出することにより眼底の画像を形成する装置である。
【０００３】
例えば特許文献１には、垂直方向スキャナと水平方向スキャナとにより光源からのレーザー光を偏向することで眼底をスキャンし、その戻り光を受光することにより眼底の画像を形成するＳＬＯが開示されている。
【先行技術文献】
【特許文献】
【０００４】
【特許文献１】特開２０１４−０５４４８４号公報
【発明の概要】
【発明が解決しようとする課題】
【０００５】
眼底を光でスキャンすることにより眼底画像を形成する眼科撮影装置では、眼内への入射光量が多くなるほどＳ／Ｎ比が向上し、より鮮明な画像の取得が可能になる。しかしながら、眼内に向けて光放射を行う眼科撮影装置等の眼光学機器には、光放射の安全性に関する要求事項が規定された規格が適用される。このような規格には、光ハザードからの保護に関する規格（ＩＳＯ  １５００４−１、ＪＩＳ  Ｔ  １５００４−２）などがある。すなわち、眼科撮影装置は、安全性の観点から瞳や網膜（眼底）への単位面積当たりの入射光量を制限する必要がある。
【０００６】
特許文献１に記載されているＳＬＯでは、垂直方向スキャナのミラー面と水平方向スキャナのミラー面とを被検眼の瞳と光学的に略共役な位置に配置することにより、瞳孔による眼内入射光のケラレの発生を防止する。しかしながら、瞳上での光束位置の時間的な変化は小さいが、スキャンにより眼底での光束位置の時間的な変化は大きくなるため、瞳における光量制限により眼内に入射可能な光量が決定されてしまうことが多い（特に眼底を赤外光でスキャンする場合）。この場合、Ｓ／Ｎ比をより一層向上させることが困難になるという問題がある。
【０００７】
この発明は、このような問題を解決するためになされたものであり、その目的は、安全性を確保しつつ、眼内への入射光量を増加させることが可能な眼科撮影装置を提供することにある。
【課題を解決するための手段】
【０００８】
実施形態に係る眼科撮影装置は、被検眼の眼底を光でスキャンするためのスキャン光学系を含む。スキャン光学系は、被検眼の瞳と光学的に略共役な位置において光軸に直交する面内における光の通過位置を変更しつつ眼底を光でスキャンする。
【発明の効果】
【０００９】
実施形態によれば、安全性を確保しつつ、眼内への入射光量を増加させることが可能な眼科撮影装置を提供することができる。
【図面の簡単な説明】
【００１０】
【図１】実施形態に係る眼科撮影装置の光学系の構成の一例を示す概略図である。
【図２】実施形態に係る眼科撮影装置の光学系の構成の一例を示す概略図である。
【図３】実施形態に係る眼科撮影装置の光学系の構成の一例を示す概略図である。
【図４】実施形態に係る眼科撮影装置の処理系の構成の一例を示す概略図である。
【図５】実施形態に係る眼科撮影装置の動作例のフロー図である。
【図６】実施形態に係る眼科撮影装置の動作例のフロー図である。
【図７】実施形態に係る眼科撮影装置の動作説明図である。
【図８】実施形態に係る眼科撮影装置の動作説明図である。
【図９】実施形態の第１変形例に係る眼科撮影装置の光学系の構成の一例を示す概略図である。
【図１０】実施形態の第１変形例に係る眼科撮影装置の処理系の構成の一例を示す概略図である。
【図１１】実施形態の第２変形例に係る眼科撮影装置の光学系の構成の一例を示す概略図である。
【発明を実施するための形態】
【００１１】
この発明に係る眼科撮影装置の実施形態の例について、図面を参照しながら詳細に説明する。なお、この明細書において引用された文献の記載内容や任意の公知技術を、以下の実施形態に援用することが可能である。
【００１２】
実施形態に係る眼科撮影装置は、光スキャナを用いて光源からの光を偏向し、偏向された光を被検眼（対象眼、患者眼）に照射することにより、被検眼の瞳孔を通して光を被検眼の後眼部（眼底、硝子体等）の広い範囲に照射することが可能な装置である。このような構成は、後眼部に光を照射することが可能な任意の眼科撮影装置に適用することができる。後眼部に光を照射することが可能な眼科撮影装置には、レーザー光を眼底における治療部位に照射するためのレーザー治療装置や、被検眼に固視させた状態で視標を移動させながら被検者（患者）の応答に基づき視野を測定するための視野計などが含まれる。
【００１３】
また、実施形態に係る眼科撮影装置は、被検眼の後眼部からの戻り光を受光することにより当該後眼部における所定データの分布（画像や層厚分布や病変分布など）を形成することが可能である。このような構成は、後眼部を光で走査してデータを取得可能な任意の眼科撮影装置に適用することができる。後眼部を光で走査してデータを取得可能な眼科撮影装置には、共焦点光学系を用いたレーザー走査により眼底の正面画像を得るＳＬＯや、光コヒーレンストモグラフィ（Ｏｐｔｉｃａｌ  Ｃｏｈｅｒｅｎｃｅ  Ｔｏｍｏｇｒａｐｈｙ：以下、ＯＣＴ）を用いて眼底の断層像を得る光干渉断層計や、ＳＬＯの機能と光干渉断層計の機能とを組み合わせた複合機などがある。以下、実施形態に係る眼科撮影装置が、ＳＬＯの機能と光干渉断層計の機能とを有する場合について説明する。
【００１４】
以下では、被検者から見て左右方向をＸ方向とし、上下方向をＹ方向とし、被検者から見て光学系の奥行き方向をＺ方向として説明する。
【００１５】
［光学系］
図１〜図３に、実施形態に係る眼科撮影装置の光学系の構成例を示す。実施形態に係る眼科撮影装置は、撮影モードに対応した範囲の被検眼の画像を取得することが可能である。眼科撮影装置は、撮影モードに対応した対物レンズユニットを光学系の光軸に選択的に配置することが可能である。
【００１６】
図１は、広角（広画角）撮影モードに設定されているときの眼科撮影装置の光学系の構成例を表す。図２は、撮影モードに応じて切り替え可能な実施形態に係る対物レンズ系の構成例を表す。図２において、図１と同様の部分には同一符号を付し、適宜説明を省略する。図３は、高倍率撮影モードに設定されているときの眼科撮影装置の光学系の構成例を表す。図３において、図１又は図２と同様の部分には同一符号を付し、適宜説明を省略する。図１及び図３では、被検眼Ｅの眼底Ｅｆと光学的に共役な位置が眼底共役位置Ｐとして図示され、被検眼Ｅの瞳（瞳孔）と光学的に共役な位置が瞳共役位置Ｑとして図示されている。
【００１７】
光学系１００は、対物レンズ系１１０を介して被検眼に光を投射する投射系と、投射系により被検眼Ｅに投射された光の戻り光を対物レンズ系１１０を介して受光する受光系とを含む。眼科撮影装置は、受光系による受光結果に基づいて画像を形成する。実施形態に係る眼科撮影装置は、ＳＬＯ画像及びＯＣＴ画像を形成することが可能である。すなわち、光学系１００は、ＳＬＯ光学系１３０と、ＯＣＴ光学系１４０とを含む。ＳＬＯ光学系１３０は、ＳＬＯ投射系と、ＳＬＯ受光系とを含む。ＯＣＴ光学系１４０は、ＯＣＴ投射系と、ＯＣＴ受光系とを含む。
【００１８】
眼科撮影装置には、被検眼の前眼部を撮影するための前眼部撮影系（前眼部観察系）１２０が設けられている。光学系１００は、対物レンズ系１１０や前眼部撮影系１２０と共に、図示しない移動機構（後述の移動機構１００Ｄ）によりＸ方向、Ｙ方向及びＺ方向に移動可能である。眼科撮影装置は、前眼部撮影系１２０により得られた被検眼Ｅの前眼部画像に基づいて移動機構により光学系１００等を移動することにより、被検眼Ｅに対して光学系１００の位置合わせを行うためのアライメントを行うことが可能である。以下では、光学系１００が対物レンズ系１１０や前眼部撮影系１２０を含む場合について説明するが、光学系１００がこれらを含まない構成であってもよい。
【００１９】
（対物レンズ系）
眼科撮影装置は、撮影モードに応じた対物レンズユニットを光学系１００の光軸Ｏに配置することが可能である。この実施形態では、撮影モードには、第１範囲（例えば画角が１００度）で被検眼Ｅの画像を撮影する広角撮影モードと、第１範囲より狭い第２範囲（例えば画角が５０度）で被検眼Ｅの画像を撮影する高倍率撮影モードとがある。
【００２０】
対物レンズ系１１０は、対物レンズユニット１１０Ａ、１１０Ｂを含む（図２参照）。例えば、公知の回転機構又はスライド機構により対物レンズユニット１１０Ａ、１１０Ｂを手動で光軸Ｏに選択的に配置させることが可能である。広角撮影モードでは、光学系１００の光軸に対物レンズユニット１１０Ａの光軸が一致するように配置される（図１）。高倍率撮影モードでは、光軸Ｏに対物レンズユニット１１０Ｂの光軸が一致するように配置される（図３）。
【００２１】
対物レンズユニット１１０Ａは、２以上のレンズを含む。２以上のレンズの間には、ダイクロイックミラーＤＭ１Ａが設けられる。例えば、対物レンズユニット１１０Ａは、凸レンズ１１１Ａ、１１２Ａと、凹レンズ１１３Ａとを含むレンズユニット（ナグラータイプ）であってよい。被検眼Ｅの側から凸レンズ１１１Ａ、１１２Ａ、及び凹レンズ１１３Ａの順序で配置されている。凸レンズ１１２Ａと凹レンズ１１３Ａとの間にダイクロイックミラーＤＭ１Ａが配置されている。ダイクロイックミラーＤＭ１Ａは、広角撮影モードにおいて、ＳＬＯ光学系１３０の光路及びＯＣＴ光学系１４０の光路の双方に前眼部撮影系１２０の光路を結合する光路結合部材である。ダイクロイックミラーＤＭ１Ａと凹レンズ１１３Ａとの間に眼底（網膜）と光学的に共役な位置（眼底共役位置）Ｐ又はその近傍が配置されている。対物レンズユニット１１０Ａは、ダイクロイックミラーＤＭ１Ａを含んでもよい。
【００２２】
ダイクロイックミラーＤＭ１Ａは、ＳＬＯ光学系１３０からの光（ＳＬＯ光）、その被検眼Ｅからの戻り光、ＯＣＴ光学系１４０からの光（ＯＣＴ光、測定光）及びその被検眼Ｅからの戻り光を透過させる。ダイクロイックミラーＤＭ１Ａは、前眼部撮影系１２０からの光を被検眼Ｅに向けて反射し、その被検眼Ｅからの戻り光を前眼部撮影系１２０に向けて反射する。
【００２３】
対物レンズユニット１１０Ｂは、少なくとも１つのレンズを含む。当該少なくとも１つのレンズに対して光源（ＳＬＯ光源及びＯＣＴ光源）側にダイクロイックミラーＤＭ１Ｂが設けられる。例えば、対物レンズユニット１１０Ｂは、凸レンズ１１１Ｂを含んでよい。ダイクロイックミラーＤＭ１Ｂは、高倍率撮影モードにおいて、ＳＬＯ光学系１３０の光路及びＯＣＴ光学系１４０の光路の双方に前眼部撮影系１２０の光路を結合する光路結合部材である。対物レンズユニット１１０Ｂは、ダイクロイックミラーＤＭ１Ｂを含んでもよい。
【００２４】
ダイクロイックミラーＤＭ１Ｂは、ダイクロイックミラーＤＭ１Ａと同様に、ＳＬＯ光学系１３０からの光（ＳＬＯ光）、その被検眼Ｅからの戻り光、ＯＣＴ光学系１４０からの光（ＯＣＴ光、測定光）及びその被検眼Ｅからの戻り光を透過させる。また、ダイクロイックミラーＤＭ１Ｂは、前眼部撮影系１２０からの光を被検眼Ｅに向けて反射し、その被検眼Ｅからの戻り光を前眼部撮影系１２０に向けて反射する。光軸Ｏに対物レンズユニット１１０Ｂが配置されているときの光軸Ｏ上におけるダイクロイックミラーＤＭ１Ｂの位置は、光軸Ｏに対物レンズユニット１１０Ａが配置されているときの光軸Ｏ上におけるダイクロイックミラーＤＭ１Ａの位置と略同じであってよい。それにより、撮影モードを変更したとき、前眼部撮影系１２０の位置や向きの調整が不要になる。
【００２５】
対物レンズユニット１１０Ａが凸レンズ１１１Ａ、１１２Ａと凹レンズ１１３Ａだけを含み、対物レンズユニット１１０Ｂが凸レンズ１１１Ｂだけを含んでもよい。それにより、光軸Ｏに配置される対物レンズユニットを切り替えたときにダイクロイックミラーＤＭ１Ａ、ＤＭ１Ｂを１つのダイクロイックミラーで共用することが可能である。
【００２６】
対物レンズ系１１０は、図示しない移動機構（後述の移動機構１１０Ｄ）により光軸Ｏに沿って移動可能である。それにより、光学系１００に対して対物レンズ系１１０をＺ方向に移動することが可能になり、ＳＬＯ光学系１３０及びＯＣＴ光学系１４０の双方の焦点位置を変更することができる。
【００２７】
以下、主として、光軸Ｏに対物レンズユニット１１０Ａが配置されている場合について説明する。
【００２８】
（前眼部撮影系）
前眼部撮影系１２０は、前眼部照明光源１２１と、コリメートレンズ１２２と、前眼部撮影カメラ１２３と、結像レンズ１２４と、ビームスプリッタＢＳ１とを含む。ビームスプリッタＢＳ１は、被検眼Ｅの前眼部を照明するための照明光の光路に、その戻り光の光路を結合する光路結合部材である。
【００２９】
前眼部照明光源１２１は、被検眼Ｅの前眼部を照明するための光源である。前眼部撮影カメラ１２３は、前眼部照明光源１２１により照明された被検眼Ｅの前眼部からの反射光（戻り光）を検出するための撮像素子を備えている。前眼部照明光源１２１には、例えば、中心波長が９５０ｎｍの光を発するＬＥＤが用いられる。前眼部照明光源１２１により発せられた光は、コリメートレンズ１２２により平行光束とされる。平行光束とされた照明光は、ビームスプリッタＢＳ１によりダイクロイックミラーＤＭ１Ａに向けて反射される。ビームスプリッタＢＳ１により反射された照明光は、ダイクロイックミラーＤＭ１Ａにより被検眼Ｅに向けて偏向される。被検眼Ｅからの照明光の戻り光は、ダイクロイックミラーＤＭ１Ａにより反射され、ビームスプリッタＢＳ１を透過する。ビームスプリッタＢＳ１を透過した戻り光は、結像レンズ１２４により前眼部撮影カメラ１２３における撮像素子の検出面に集光される。撮像素子の検出面は、瞳共役位置（前眼部共役位置）Ｑ又はその近傍に配置されている。撮像素子は、例えば、ＣＣＤ又はＣＭＯＳイメージセンサにより構成されている。撮像素子による被検眼Ｅの前眼部からの戻り光の検出結果は、前眼部の画像の形成に用いられる。
【００３０】
（ＳＬＯ光学系）
ＳＬＯ光学系１３０の光路とＯＣＴ光学系１４０の光路とは、ダイクロイックミラーＤＭ２により結合される。ＳＬＯ光学系１３０の少なくとも一部がテレセントリック光学系として形成されている。同様に、ＯＣＴ光学系１４０の少なくとも一部がテレセントリック光学系として形成されている。ダイクロイックミラーＤＭ２は、ＳＬＯ光学系１３０のテレセントリック光学系により形成される光路とＯＣＴ光学系１４０のテレセントリック光学系により形成される光路とを結合する。それにより、対物レンズ系１１０の移動により光学系１００の焦点位置を変更した場合でも瞳（例えば対物レンズ系１１０による射出瞳）の収差が小さくなるため、合焦状態の調整が容易になる。
【００３１】
ダイクロイックミラーＤＭ１Ａ（ＤＭ１Ｂ）、ＤＭ２は、ねじれの関係を保持した状態で光軸Ｏに配置されていることが望ましい。ダイクロイックミラーＤＭ１Ａ（ＤＭ１Ｂ）は、ＳＬＯ光学系１３０の光路及びＯＣＴ光学系１４０の光路（光学系１００の光路）を導かれる光の少なくとも一部及び前眼部撮影系１２０の光路を導かれる光の少なくとも一部のうち一方の光を反射し、かつ、他方の光を透過させる第１光学面を備えている。ダイクロイックミラーＤＭ２は、ＳＬＯ光学系１３０の光路を導かれる光の少なくとも一部及びＯＣＴ光学系１４０の光路を導かれる光の少なくとも一部のうち一方の光を反射し、かつ、他方の光を透過させる第２光学面を備えている。ダイクロイックミラーＤＭ１Ａ（ＤＭ１Ｂ）、ＤＭ２は、第１光学面の法線とＳＬＯ光学系１３０の光軸とを含む平面と、第２光学面の法線とＳＬＯ光学系１３０の光軸とを含む平面とが互いに直交する、又は略直交するように配置されている。それにより、図３に示す高倍率撮影モードでは、ダイクロイックミラーＤＭ１ＢとダイクロイックミラーＤＭ２との間に凹レンズ１１３Ａが配置されないため、ダイクロイックミラーＤＭ１ＢとダイクロイックミラーＤＭ２とにより非点収差を除去、又は非点収差を極めて小さくすることができるので、画質の劣化を抑えることが可能になる。一方、図１に示す広角撮影モードでは、高倍率撮影モード時よりも画像の粗さが許容されるため、非点収差の残存に起因する画質への影響は小さくて済む。
【００３２】
ＳＬＯ光学系１３０は、ＳＬＯ光源１３１と、コリメートレンズ１３２と、ビームスプリッタＢＳ２と、集光レンズ１３３と、共焦点絞り１３４と、検出器１３５と、光スキャナ１３６と、レンズ１３７とを含む。ビームスプリッタＢＳ２は、被検眼Ｅに投射されるＳＬＯ光の光路に、その戻り光の光路を結合する光路結合部材である。
【００３３】
ＳＬＯ光源１３１は、例えば中心波長が８４０ｎｍの光を発するものが用いられる。ＳＬＯ光源１３１として、例えばレーザーダイオード（Ｌａｓｅｒ  Ｄｉｏｄｅ：以下、ＬＤ）、スーパールミネッセントダイオード（Ｓｕｐｅｒ  Ｌｕｍｉｎｅｓｃｅｎｔ  Ｄｉｏｄｅ：ＳＬＤ）、レーザードリブンライトソース（Ｌａｓｅｒ  Ｄｒｉｖｅｎ  Ｌｉｇｈｔ  Ｓｏｕｒｃｅ：ＬＤＬＳ）などが挙げられる。ＳＬＯ光源１３１は、眼底（網膜）と光学的に共役な位置（眼底共役位置）Ｐ又はその近傍に配置されている。
【００３４】
ＳＬＯ光源１３１から発せられた光は、コリメートレンズ１３２により平行光束とされる。平行光束とされた光は、ビームスプリッタＢＳ２を透過する。ビームスプリッタＢＳ２を透過した光は、光スキャナ１３６により偏向される。光スキャナ１３６は、ＳＬＯ光源１３１からの光で被検眼Ｅの眼底Ｅｆを走査するために用いられる。光スキャナ１３６は、Ｘ方向に光を偏向させる光スキャナ１３６Ｘと、Ｙ方向に光を偏向させる光スキャナ１３６Ｙとを含む。光スキャナ１３６Ｘは、その傾きが変更可能なミラーであり、後述の制御部２００により反射面の傾きが制御される。光スキャナ１３６は、例えば、眼底面内の水平方向の走査に用いられる。光スキャナ１３６Ｘの被検眼Ｅの側には、光スキャナ１３６Ｙが配置されている。光スキャナ１３６Ｙは、その傾きが変更可能なミラーであり、制御部２００により反射面の傾きが制御される。光スキャナ１３６Ｙは、例えば、水平方向に直交する眼底面内の垂直方向の走査に用いられる。光スキャナ１３６Ｘ及び光スキャナ１３６Ｙのいずれか一方は、ガルバノミラーなどの低速スキャナであり、他方は、レゾナントミラーやポリゴンミラー、或いはＭＥＭＳ（Ｍｉｃｒｏ  Ｅｌｅｃｔｒｏ  Ｍｅｃｈａｎｉｃａｌ  Ｓｙｓｔｅｍｓ：以下、ＭＥＭＳ）ミラーなどの高速スキャナであってよい。
【００３５】
光スキャナ１３６Ｘの反射面（偏向面）は、被検眼Ｅの瞳と光学的に共役な位置（瞳共役位置）Ｑ又はその近傍に配置され、光スキャナ１３６Ｙの反射面は、被検眼Ｅの瞳と光学的に非共役な位置に配置されている。それにより、光スキャナ１３６Ｘの反射面の傾きが変更されると、ビームスプリッタＢＳ２を透過した光の光スキャナ１３６Ｙの反射面における照射位置は移動する。すなわち、ＳＬＯ光学系１３０（光学系１００）は、瞳共役位置Ｑ又はその近傍においてＳＬＯ光学系１３０の光軸に直交する面内における光の通過位置を変更しつつ眼底Ｅｆを光でスキャンする。従って、被検眼Ｅの瞳における光の入射位置が移動することにより、光スキャナ１３６Ｙの反射面が瞳共役位置Ｑ又はその近傍に配置されている場合に比べて被検眼Ｅの瞳における単位面積当たりの入射光量が減少する。このように瞳収差を敢えて発生させることにより単位面積当たりの入射光量が減少するため、ＳＬＯ光源１３１からの光の眼内に入射可能な光量を増加させることができる。なお、光スキャナ１３６Ｘと光スキャナ１３６Ｙとの間に瞳共役位置Ｑ又はその近傍が配置されていてもよい。この場合、光スキャナ１３６Ｘと光スキャナ１３６Ｙとの間の中間位置が瞳共役位置Ｑ又はその近傍に配置されていてもよい。
【００３６】
光スキャナ１３６Ｙの被検眼Ｅの側には、レンズ１３７と、ダイクロイックミラーＤＭ２とが配置されている。光スキャナ１３６により偏向されたＳＬＯ光源１３１からの光は、レンズ１３７及びダイクロイックミラーＤＭ２を透過し、対物レンズ系１１０を介して被検眼Ｅに投射される。
【００３７】
被検眼Ｅに投射されたＳＬＯ光源１３１からの光の戻り光は、同じ光路を経由してビームスプリッタＢＳ２により検出器１３５に向けて反射される。ビームスプリッタＢＳ２と検出器１３５との間には、集光レンズ１３３と共焦点絞り１３４とが配置されている。集光レンズ１３３は、ビームスプリッタＢＳ２により反射された光を集光する。集光レンズ１３３により集光された光は、共焦点絞り１３４に形成された開口を通過し、検出器１３５の検出面に入射する。共焦点絞り１３４に形成された開口は、眼底（網膜）と光学的に共役な位置（眼底共役位置）Ｐ又はその近傍に配置されている。検出器１３５は、例えば、アバランシェフォトダイオード（Ａｖａｌａｎｃｈｅ  ＰｈｏｔｏＤｉｏｄｅ：ＡＰＤ）又は光電子増倍管（ＰｈｏｔｏＭｕｌｔｉｐｌｉｅｒ  Ｔｕｂｅ：ＰＭＴ）により構成されている。
【００３８】
（ＯＣＴ光学系）
ＯＣＴ光学系１４０は、合焦レンズ１４１と、光スキャナ１４２と、コリメートレンズ１４３と、干渉光学系１５０とを含む。干渉光学系１５０は、ＯＣＴ光源１５１と、ファイバーカプラ１５２、１５３と、プリズム１５４と、検出器１５５とを含む。
【００３９】
合焦レンズ１４１は、図示しない移動機構（後述の移動機構１４１Ｄ）によりＯＣＴ光学系１４０の光軸（光路）に沿って移動可能である。それにより、ＳＬＯ光学系１３０とは独立にＯＣＴ光学系１４０の焦点位置を変更することが可能になる。従って、例えば対物レンズ系１１０の移動によりＳＬＯ光学系１３０及びＯＣＴ光学系１４０の合焦状態が調整された後、合焦レンズ１４１の移動によりＯＣＴ光学系１４０の合焦状態の微調整を行うことができる。
【００４０】
光スキャナ１４２は、ＯＣＴ光源１５１からの光に基づく測定光で被検眼Ｅの眼底Ｅｆを走査するために用いられる。光スキャナ１４２は、Ｘ方向に光を偏向させる光スキャナ１４２Ｘと、Ｙ方向に光を偏向させる光スキャナ１４２Ｙとを含む。光スキャナ１４２Ｘは、その傾きが変更可能なミラーであり、制御部２００により反射面の傾きが制御される。光スキャナ１４２は、例えば、眼底面内の水平方向の走査に用いられる。光スキャナ１４２Ｘの被検眼Ｅの側には、光スキャナ１４２Ｙが配置されている。光スキャナ１４２Ｙは、その傾きが変更可能なミラーであり、制御部２００により反射面の傾きが制御される。光スキャナ１４２Ｙは、例えば、水平方向に直交する眼底面内の垂直方向の走査に用いられる。光スキャナ１４２Ｘ及び光スキャナ１４２Ｙのいずれか一方は、低速なガルバノミラーなどの低速スキャナであり、他方は、高速なガルバノミラーなどの高速スキャナであってよい。光スキャナ１４２Ｘ、１４２Ｙの中間位置は、被検眼Ｅの瞳と光学的に共役な位置（瞳共役位置）Ｑ又はその近傍に配置されている。光スキャナ１４２ＹのＯＣＴ光源１５１の側には、コリメートレンズ１４３が配置されている。
【００４１】
すなわち、光スキャナ１４２Ｙの反射面は、被検眼Ｅの瞳と光学的に非共役な位置に配置されている。それにより、光スキャナ１４２Ｘの反射面の傾きが変更されると、コリメートレンズ１４３を通過した光（後述の測定光ＬＳ）の光スキャナ１４２Ｙの反射面における照射位置は移動する。すなわち、ＯＣＴ光学系１４０は、瞳共役位置Ｑ又はその近傍においてＯＣＴ光学系１４０の光軸に直交する面内における光（測定光ＬＳ）の通過位置を変更しつつ眼底Ｅｆを光でスキャンする。従って、被検眼Ｅの瞳における光の入射位置が移動することにより、光スキャナ１４２Ｙの反射面が被検眼Ｅの瞳と光学的に共役な位置に配置されている場合に比べて被検眼Ｅの瞳における単位面積当たりの入射光量が減少する。このように瞳収差を敢えて発生させることにより単位面積当たりの入射光量が減少するため、後述の干渉光学系１５０により生成された光（測定光ＬＳ）の眼内に入射可能な光量を増加させることができる。
【００４２】
なお、光スキャナ１４２は、２次元的に光を偏向する場合について説明したが、１次元的に光を偏向するものであってもよい。この場合、光スキャナ１４２は、光スキャナ１４２Ｘ、１４２Ｙの一方だけを含む。
【００４３】
干渉光学系１５０には、被検眼ＥのＯＣＴ画像を取得するための光学系が設けられている。この光学系は、従来のスウェプトソースタイプのＯＣＴ装置と同様の構成を有する。すなわち、この光学系は、波長掃引型（波長走査型）光源からの光を測定光と参照光とに分割し、被検眼Ｅからの測定光の戻り光と参照光路を経由した参照光とを干渉させて干渉光を生成し、この干渉光を検出する干渉光学系である。干渉光学系による干渉光の検出結果（検出信号）は、干渉光のスペクトルを示す信号である。なお、干渉光学系１５０は、スウェプトソースタイプのＯＣＴ装置ではなく、従来のスペクトラルドメインタイプのＯＣＴ装置と同様の構成を有していてもよい。
【００４４】
ＯＣＴ光源１５１は、ＯＣＴ光（出射光）の波長を掃引（走査）可能な波長掃引型（波長走査型）光源である。波長掃引型光源には、例えば、共振器を含み、中心波長が１０５０ｎｍの光を発するレーザー光源が用いられる。ＯＣＴ光源１５１は、人眼では視認できない近赤外の波長帯において、出力波長を時間的に変化させる。
【００４５】
ＯＣＴ光源１５１から出力された光Ｌ０は、光ファイバｆ１によりファイバーカプラ１５２に導かれて測定光ＬＳと参照光ＬＲとに分割される。
【００４６】
参照光ＬＲは、光ファイバｆ２によりファイバ出射端ｃ１に導かれて、ファイバ出射端ｃ１からコリメートレンズ１５６に照射される。ファイバ出射端ｃ１から出射された参照光ＬＲは、コリメートレンズ１５６により平行光束とされる。平行光束とされた参照光ＬＲは、プリズム１５４に導かれる。プリズム１５４は、コリメートレンズ１５６により平行光束とされた参照光ＬＲの進行方向を逆方向に折り返す。プリズム１５４に入射する参照光ＬＲの光路と、プリズム１５４から出射する参照光ＬＲの光路とは平行である。プリズム１５４は、図示しない移動機構（後述の移動機構１５４Ｄ）により参照光ＬＲの入射光路及び出射光路に沿う方向に移動可能である。この場合、移動機構を移動するための駆動力を発生するアクチュエータと、この駆動力を伝達する伝達機構とが設けられる。アクチュエータは、例えばパルスモータにより構成される。伝達機構は、例えば歯車の組み合わせやラック・アンド・ピニオンなどによって構成される。それにより、参照光ＬＲの光路の長さが変更される。
【００４７】
プリズム１５４を経由した参照光ＬＲは、コリメートレンズ１５７によって平行光束から集束光束に変換されてファイバ入射端ｃ２に入射し、光ファイバｆ３によりファイバーカプラ１５３に導かれる。なお、コリメートレンズ１５６、１５７とプリズム１５４との間に、光路長補正部材や分散補償部材が配置されていてもよい。光路長補正部材は、参照光ＬＲの光路長（光学距離）と測定光ＬＳの光路長とを合わせるための遅延手段として作用する。分散補償部材は、参照光ＬＲと測定光ＬＳとの間の分散特性を合わせるための分散補償手段として作用する。
【００４８】
一方、ファイバーカプラ１５２により生成された測定光ＬＳは、光ファイバｆ４によりファイバ端ｃ３に導かれる。ファイバ端ｃ３は、眼底（網膜）と光学的に共役な位置（眼底共役位置）Ｐ又はその近傍に配置されている。ファイバ端ｃ３に導かれた測定光ＬＳは、コリメートレンズ１４３に照射される。ファイバ端ｃ３から照射された測定光ＬＳは、コリメートレンズ１４３により平行光束とされる。平行光束にされた測定光ＬＳは、光スキャナ１４２及び合焦レンズ１４１を経由してダイクロイックミラーＤＭ２に到達する。測定光ＬＳは、ダイクロイックミラーＤＭ２により反射され、対物レンズ系１１０により屈折されて被検眼Ｅに照射される。測定光ＬＳは、被検眼Ｅの様々な深さ位置において散乱（反射を含む）される。このような後方散乱光を含む測定光ＬＳの戻り光は、往路と同じ経路を逆向きに進行してファイバーカプラ１５２に導かれ、光ファイバｆ５を経由してファイバーカプラ１５３に到達する。
【００４９】
ファイバーカプラ１５３は、光ファイバｆ５を介して入射された測定光ＬＳと、光ファイバｆ３を介して入射された参照光ＬＲとを合成して（干渉させて）干渉光を生成する。ファイバーカプラ１５３は、所定の分岐比（例えば１：１）で、測定光ＬＳと参照光ＬＲとの干渉光を分岐することにより、一対の干渉光ＬＣを生成する。ファイバーカプラ１５３から出射した一対の干渉光ＬＣは、検出器１５５に導かれる。
【００５０】
検出器１５５は、例えば一対の干渉光ＬＣをそれぞれ検出する一対のフォトディテクタを有し、これらによる検出結果の差分を出力するバランスドフォトダイオード（Ｂａｌａｎｃｅｄ  Ｐｈｏｔｏ  Ｄｉｏｄｅ）である。検出器１５５は、その検出結果（検出信号）を図示しないＤＡＱ（Ｄａｔａ  Ａｃｑｕｉｓｉｔｉｏｎ  Ｓｙｓｔｅｍ）に送る。ＤＡＱには、ＯＣＴ光源１５１からクロックが供給される。このクロックは、ＯＣＴ光源１５１において、波長掃引型光源により所定の波長範囲内で掃引（走査）される各波長の出力タイミングに同期して生成される。ＤＡＱは、このクロックに基づき、検出器１５５の検出結果をサンプリングし、後述の画像形成部等に送る。画像形成部は、例えば一連の波長走査毎に（Ａライン毎に）、検出器１５５により得られた検出結果に基づくスペクトル分布にフーリエ変換等を施すことにより、各Ａラインにおける反射強度プロファイルを形成する。更に、画像形成部は、各Ａラインの反射強度プロファイルを画像化することにより画像データを形成する。
【００５１】
［処理系］
図４に、実施形態に係る眼科撮影装置の処理系の構成例を示す。図４において、図１及び図３と同様の部分には同一符号を付し、適宜説明を省略する。
【００５２】
（制御部）
実施形態に係る眼科撮影装置の処理系は、制御部２００を中心に構成される。制御部２００は、眼科撮影装置の各部の制御を行う。制御部２００は、主制御部２０１と、記憶部２０２とを含む。主制御部２０１の機能は、例えばマイクロプロセッサにより実現される。記憶部２０２には、眼科撮影装置を制御するためのコンピュータプログラムがあらかじめ格納される。このコンピュータプログラムには、各種の光源制御用プログラム、光スキャナ制御用プログラム、各種の検出器制御用プログラム、画像形成用プログラム、データ処理用プログラム及びユーザインターフェイス用プログラムなどが含まれる。このようなコンピュータプログラムに従って主制御部２０１が動作することにより、制御部２００は制御処理を実行する。
【００５３】
対物レンズ系１１０に対する制御として、対物レンズ系１１０を光軸Ｏに沿って移動させる移動機構１１０Ｄに対する制御などがある。例えば、移動機構１１０Ｄには、移動機構１１０Ｄを移動するための駆動力を発生するアクチュエータと、この駆動力を伝達する伝達機構とが設けられる。アクチュエータは、例えばパルスモータにより構成される。伝達機構は、例えば歯車の組み合わせやラック・アンド・ピニオンなどによって構成される。主制御部２０１は、アクチュエータに対して制御信号を送ることにより、移動機構１１０Ｄに対する制御を行う。
【００５４】
ＳＬＯ光学系１３０に対する制御として、ＳＬＯ光源１３１の制御、光スキャナ１３６の制御、検出器１３５の制御などがある。ＳＬＯ光源１３１の制御には、光源の点灯、消灯、光量調整、絞り調整などがある。光スキャナ１３６の制御には、光スキャナ１３６Ｘによる走査位置や走査範囲の制御、光スキャナ１３６Ｙによる走査位置や走査範囲の制御などがある。検出器１３５の制御には、検出素子の露光調整やゲイン調整や検出レート調整などがある。
【００５５】
ＯＣＴ光学系１４０に対する制御として、ＯＣＴ光源１５１の制御、光スキャナ１４２の制御、移動機構１４１Ｄや移動機構１５４Ｄの制御、検出器１５５の制御などがある。ＯＣＴ光源１５１の制御には、光源の点灯、消灯、光量調整、絞り調整などがある。光スキャナ１４２の制御には、光スキャナ１４２Ｘによる走査位置や走査範囲の制御、光スキャナ１４２Ｙによる走査位置や走査範囲の制御などがある。移動機構１４１Ｄは、ＯＣＴ光学系１４０の光路に沿って合焦レンズ１４１を移動する。例えば、移動機構１４１Ｄには、移動機構を移動するための駆動力を発生するアクチュエータと、この駆動力を伝達する伝達機構とが設けられる。アクチュエータは、例えばパルスモータにより構成される。伝達機構は、例えば歯車の組み合わせやラック・アンド・ピニオンなどによって構成される。主制御部２０１は、アクチュエータに対して制御信号を送ることにより、移動機構１４１Ｄに対する制御を行う。移動機構１５４Ｄは、プリズム１５４を参照光ＬＲの入射光路及び出射光路に沿う方向に移動する。例えば、移動機構１５４Ｄには、移動機構を移動するための駆動力を発生するアクチュエータと、この駆動力を伝達する伝達機構とが設けられる。アクチュエータは、例えばパルスモータにより構成される。伝達機構は、例えば歯車の組み合わせやラック・アンド・ピニオンなどによって構成される。主制御部２０１は、アクチュエータに対して制御信号を送ることにより、移動機構１５４Ｄに対する制御を行う。検出器１５５の制御には、検出素子の露光調整やゲイン調整や検出レート調整などがある。
【００５６】
前眼部撮影系１２０に対する制御として、前眼部照明光源１２１の制御、前眼部撮影カメラ１２３の制御などがある。前眼部照明光源１２１の制御には、光源の点灯、消灯、光量調整、絞り調整などがある。前眼部撮影カメラ１２３の制御には、撮像素子の露光調整やゲイン調整や撮影レート調整などがある。
【００５７】
光学系１００に対する制御として、光学系１００（ダイクロイックミラーＤＭ１Ａ、ＤＭ１Ｂ、前眼部撮影系１２０を含む）をＸ方向、Ｙ方向及びＺ方向に移動する移動機構１００Ｄの制御などがある。例えば、移動機構１００Ｄには、移動機構を移動するための駆動力を発生するアクチュエータと、この駆動力を伝達する伝達機構とが設けられる。アクチュエータは、例えばパルスモータにより構成される。伝達機構は、例えば歯車の組み合わせやラック・アンド・ピニオンなどによって構成される。主制御部２０１は、アクチュエータに対して制御信号を送ることにより、移動機構１００Ｄに対する制御を行う。
【００５８】
主制御部２０１は、アライメント制御部２０１Ａと、トラッキング制御部２０１Ｂと、表示制御部２０１Ｃとを含む。
【００５９】
アライメント制御部２０１Ａは、被検眼Ｅに対して光学系１００の位置合わせを行うためのアライメントの実行を制御する。アライメント制御部２０１Ａは、前眼部撮影系１２０により得られた被検眼Ｅの前眼部画像に基づいて移動機構１００Ｄ、１１０Ｄを制御する。アライメント制御部２０１Ａは、例えば、前眼部撮影系１２０により得られた被検眼Ｅの前眼部画像中の特徴部位を特定し、特定された特徴部位の位置と所定の目標位置とのずれ量がキャンセルされるように光学系１００等の移動量を求める。アライメント制御部２０１Ａは、求められた移動量に基づいて移動機構１００Ｄを制御することにより被検眼Ｅに対して光学系１００の位置合わせを行う（ＸＹ方向）。目標位置は、あらかじめ決められた位置であってもよいし、ＵＩ部２３０を用いて指定された前眼部画像中の位置であってもよい。
【００６０】
アライメント制御部２０１Ａは、例えば、前眼部撮影系１２０により得られた被検眼Ｅの前眼部画像の合焦状態（ぼけ具合）を特定し、特定された合焦状態が所望の合焦状態となるように光学系１００のＺ方向の移動量を求めることが可能である。アライメント制御部２０１Ａは、求められた移動量に基づいて移動機構１００Ｄを制御することにより、被検眼Ｅに対する光学系１００及び光学系１００の位置合わせを行う（Ｚ方向）。なお、２以上のカメラを用いて互いに異なる方向から前眼部を撮影し、視差が設けられた２以上の画像から３次元的に合焦状態を特定し、特定された合焦状態が所望の合焦状態となるように光学系１００のＺ方向の移動量を求めてもよい。
【００６１】
アライメント制御部２０１Ａは、ＳＬＯ光学系１３０により得られたＳＬＯ画像に基づいて移動機構１１０Ｄを制御することにより被検眼Ｅに対する対物レンズ系１１０の位置合わせ（Ｚ方向）を行ってもよい。この場合、アライメント制御部２０１Ａは、取得されたＳＬＯ画像の合焦状態（ぼけ具合）を特定し、特定された合焦状態が所望の合焦状態となるように対物レンズ系１１０のＺ方向の移動量を求める。アライメント制御部２０１Ａは、求められた移動量に基づいて移動機構１１０Ｄを制御する。
【００６２】
トラッキング制御部２０１Ｂは、ＳＬＯ光学系１３０により得られた被検眼ＥのＳＬＯ画像に対するトラッキングを制御する。トラッキング制御部２０１Ｂは、例えば、所定のタイミングでＳＬＯ画像中の特徴部位を特定し、特定された特徴部位の位置が変化したとき、その位置のずれ量がキャンセルされるように移動量を求める。トラッキング制御部２０１Ｂは、求められた移動量に基づいてＳＬＯ画像に対するトラッキングを制御する。
【００６３】
また、トラッキング制御部２０１Ｂは、ＯＣＴ光学系１４０により得られた被検眼ＥのＯＣＴ画像に対するトラッキングをＳＬＯ画像に基づいて制御する。トラッキング制御部２０１Ｂは、例えば、所定のタイミングでＳＬＯ画像中の特徴部位を特定し、特定された特徴部位の位置が変化したとき、その位置のずれ量がキャンセルされるように移動量を求める。トラッキング制御部２０１Ｂは、求められた移動量に基づいてＯＣＴ画像に対するトラッキングを制御する。トラッキング制御部２０１Ｂは、データ処理部２２０に設けられていてもよい。
【００６４】
表示制御部２０１Ｃは、各種情報を後述のＵＩ部２３０に表示させる。ＵＩ部２３０に表示される情報には、制御部２００により生成された情報、画像形成部２１０により形成された画像、データ処理部２２０によるデータ処理後の情報などがある。
【００６５】
（画像形成部）
画像形成部２１０は、ＳＬＯ画像形成部２１０Ａと、ＯＣＴ画像形成部２１０Ｂとを含む。ＳＬＯ画像形成部２１０Ａは、検出器１３５から入力される検出信号と、制御部２００から入力される画素位置信号とに基づいて、ＳＬＯ画像の画像データを形成する。ＯＣＴ画像形成部２１０Ｂは、検出器１５５から入力される検出信号と、制御部２００から入力される画素位置信号とに基づいて、ＯＣＴ画像（眼底Ｅｆの断層像）の画像データを形成する。また、画像形成部２１０は、前眼部撮影カメラ１２３の撮像素子による被検眼Ｅの前眼部からの反射光の検出結果に基づいて前眼部画像を形成する。画像形成部２１０により形成された各種の画像（画像データ）は、例えば記憶部２０２に保存される。
【００６６】
（データ処理部）
データ処理部２２０は、各種のデータ処理を実行する。データ処理の例として、画像形成部２１０又は他の装置により形成された画像データに対する処理がある。この処理の例として、各種の画像処理や、画像に対する解析処理や、画像データに基づく画像評価などの診断支援処理がある。
【００６７】
（ＵＩ部）
ＵＩ（Ｕｓｅｒ  Ｉｎｔｅｒｆａｃｅ）部２３０は、ユーザと眼科撮影装置との間で情報のやりとりを行うための機能を備える。ＵＩ部２３０は、表示デバイスと操作デバイス（入力デバイス）とを含む。表示デバイスは、表示部を含んでよく、それ以外の表示デバイスを含んでもよい。操作デバイスは、各種のハードウェアキー及び／又はソフトウェアキーを含む。制御部２００は、操作デバイスに対する操作内容を受け、操作内容に対応した制御信号を各部に出力することが可能である。操作デバイスの少なくとも一部と表示デバイスの少なくとも一部とを一体的に構成することが可能である。タッチパネルディスプレイはその一例である。
【００６８】
光学系１００、ＳＬＯ光学系１３０又はＯＣＴ光学系１４０は、実施形態に係る「スキャン光学系」の一例である。ＳＬＯ光学系１３０が実施形態に係る「スキャン光学系」に相当する場合、光スキャナ１３６Ｘは実施形態に係る「第１光スキャナ」の一例であり、光スキャナ１３６Ｙは実施形態に係る「第２光スキャナ」の一例である。ＯＣＴ光学系１４０が実施形態に係る「スキャン光学系」に相当する場合、光スキャナ１４２Ｘは実施形態に係る「第１光スキャナ」の一例であり、光スキャナ１４２Ｙは実施形態に係る「第２光スキャナ」の一例である。
【００６９】
［動作］
実施形態に係る眼科撮影装置の動作について説明する。
【００７０】
図５及び図６に、実施形態に係る眼科撮影装置の動作の一例を示す。図５及び図６は、実施形態に係る眼科撮影装置の動作例のフロー図を表す。
【００７１】
（Ｓ１）
まず、光軸Ｏに広角撮影モード用の対物レンズユニット１１０Ａがセットされる。例えば、検者、被検者、医師、患者等のユーザが手動で光軸Ｏに対物レンズユニット１１０Ａをセットする。眼科撮影装置は、ＵＩ部２３０に対してユーザにより行われた操作に基づきＳ２に動作を移行することが可能である。また、眼科撮影装置は、光軸Ｏに配置された対物レンズユニットの種別を検出し、検出された種別があらかじめ登録された当該撮影モードに対応する種別であると判定されたとき、眼科撮影装置の動作をＳ２に移行するようにしてもよい。
【００７２】
（Ｓ２）
制御部２００は、前眼部撮影系１２０により被検眼Ｅの前眼部を撮影することにより前眼部画像を取得する。
【００７３】
（Ｓ３）
アライメント制御部２０１Ａは、前述のようにＳ２において取得された前眼部画像に基づいて移動機構１００Ｄを制御することにより、被検眼Ｅに対する光学系１００及び対物レンズ系１１０の位置合わせを行う（Ｘ方向、Ｙ方向及びＺ方向）。
【００７４】
（Ｓ４）
制御部２００は、光スキャナ１３６、１４２のそれぞれをあらかじめ決められた初期位置に移動させる。
【００７５】
（Ｓ５）
制御部２００は、ＳＬＯ光源１３１をオンにして、光スキャナ１３６を制御することによりＳＬＯ光源１３１からの光で被検眼Ｅの眼底Ｅｆのスキャンを開始させる。ＳＬＯ画像形成部２１０Ａは、検出器１３５による眼底反射光の検出結果に基づいて眼底ＥｆのＳＬＯ画像を形成する。また、制御部２００は、ＯＣＴ光源１５１をオンにして、光スキャナ１４２を制御することによりＯＣＴ光源１５１からの光に基づく測定光ＬＳで被検眼Ｅの眼底Ｅｆのスキャンを開始させる。ＯＣＴ画像形成部２１０Ｂは、検出器１５５による干渉光の検出結果に基づいて眼底ＥｆのＯＣＴ画像を形成する。Ｓ５において、トラッキング制御部２０１Ｂは、ＳＬＯ画像に対するトラッキング制御とＯＣＴ画像に対するトラッキング制御とを開始してもよい。
【００７６】
（Ｓ６）
アライメント制御部２０１Ａは、前眼部撮影系１２０により得られた前眼部画像又はＳ５において得られたＳＬＯ画像から網膜のフォーカス方向のアライメントを行う。それにより、対物レンズ系１１０の光軸Ｏの方向の位置の微調整が可能になる。
【００７７】
（Ｓ７）
主制御部２０１は、ＯＣＴ光学系１４０により得られた干渉光の検出信号に基づいてＯＣＴ光学系１４０の焦点位置を変更する。主制御部２０１は、例えば、所定の干渉光の検出信号の振幅が最大となるように移動機構１４１Ｄを制御することによりＯＣＴ光学系１４０の焦点位置を変更する。
【００７８】
（Ｓ８）
制御部２００は、再び、光スキャナ１３６を制御することによりＳＬＯ光源１３１からの光で被検眼Ｅの眼底Ｅｆのスキャンを開始させる。ＳＬＯ画像形成部２１０Ａは、検出器１３５による眼底反射光の検出結果に基づいて眼底ＥｆのＳＬＯ画像を形成する。また、制御部２００は、再び、光スキャナ１４２を制御することによりＯＣＴ光源１５１からの光に基づく測定光ＬＳで被検眼Ｅの眼底Ｅｆのスキャンを開始させる。ＯＣＴ画像形成部２１０Ｂは、検出器１５５による干渉光の検出結果に基づいて眼底ＥｆのＯＣＴ画像を形成する。Ｓ８で得られたＳＬＯ画像及びＯＣＴ画像のそれぞれは広角画像である。
【００７９】
（Ｓ９）
次に、制御部２００は、高倍率での撮影を行うか否か（高倍率撮影モードに移行するか否か）を判定する。主制御部２０１は、ＵＩ部２３０に対する操作内容を検出することが可能である。主制御部２０１は、ＵＩ部２３０に対する操作内容に基づいて、高倍率での撮影を行うか否かを判定する。高倍率での撮影を行うと判定されたとき（Ｓ９：Ｙ）、眼科撮影装置の動作はＳ１０に移行する。高倍率での撮影を行わないと判定されたとき（Ｓ９：Ｎ）、眼科撮影装置の動作は終了する（エンド）。
【００８０】
（Ｓ１０）
高倍率での撮影を行うと判定されたとき（Ｓ９：Ｙ）、光軸Ｏに高倍率撮影モード用の対物レンズユニット１１０Ｂがセットされるまで待機する。例えば、ユーザが手動で光軸Ｏに対物レンズユニット１１０Ｂをセットする。眼科撮影装置は、ＵＩ部２３０に対してユーザにより行われた操作に基づきＳ１１に動作を移行したり、光軸Ｏに配置された対物レンズユニットの種別の検出結果に基づきＳＳ１に動作を移行したりすることが可能である。
【００８１】
（Ｓ１１）
主制御部２０１は、Ｓ８において取得されたＳＬＯ画像においてＵＩ部２３０を用いたユーザによる撮影部位の指定を受け付ける。
【００８２】
（Ｓ１２）
制御部２００は、前眼部撮影系１２０により被検眼Ｅの前眼部を撮影することにより前眼部画像を取得する。
【００８３】
（Ｓ１３）
アライメント制御部２０１Ａは、前述のようにＳ１２において取得された前眼部画像に基づいて移動機構１００Ｄを制御することにより、被検眼Ｅに対する光学系１００及び対物レンズ系１１０の位置合わせを行う（Ｘ方向、Ｙ方向及びＺ方向）。
【００８４】
（Ｓ１４）
制御部２００は、光スキャナ１３６、１４２のそれぞれを初期位置に移動させる。
【００８５】
（Ｓ１５）
制御部２００は、Ｓ５と同様に、ＳＬＯ光源１３１からの光で被検眼Ｅの眼底Ｅｆのスキャンを開始させる。ＳＬＯ画像形成部２１０Ａは、検出器１３５による眼底反射光の検出結果に基づいて眼底ＥｆのＳＬＯ画像を形成する。また、制御部２００は、ＯＣＴ光源１５１からの光に基づく測定光ＬＳで被検眼Ｅの眼底Ｅｆのスキャンを開始させる。ＯＣＴ画像形成部２１０Ｂは、検出器１５５による干渉光の検出結果に基づいて眼底ＥｆのＯＣＴ画像を形成する。Ｓ１５においても、Ｓ５と同様に、トラッキング制御部２０１Ｂは、ＳＬＯ画像に対するトラッキング制御とＯＣＴ画像に対するトラッキング制御とを開始してもよい。
【００８６】
（Ｓ１６）
アライメント制御部２０１Ａは、前眼部撮影系１２０により得られた前眼部画像又はＳ１５において得られたＳＬＯ画像から網膜のフォーカス方向のアライメントを行う。
【００８７】
（Ｓ１７）
主制御部２０１は、ＯＣＴ光学系１４０により得られた干渉光の検出信号に基づいてＯＣＴ光学系１４０の焦点位置を変更する。主制御部２０１は、例えば、所定の干渉光の検出信号の振幅が最大となるように移動機構１４１Ｄを制御することによりＯＣＴ光学系１４０の焦点位置を変更する。
【００８８】
（Ｓ１８）
制御部２００は、再び、光スキャナ１３６を制御することによりＳＬＯ光源１３１からの光で被検眼Ｅの眼底Ｅｆのスキャンを開始させる。ＳＬＯ画像形成部２１０Ａは、検出器１３５による眼底反射光の検出結果に基づいて眼底ＥｆのＳＬＯ画像を形成する。また、制御部２００は、再び、光スキャナ１４２を制御することによりＯＣＴ光源１５１からの光に基づく測定光ＬＳで被検眼Ｅの眼底Ｅｆのスキャンを開始させる。ＯＣＴ画像形成部２１０Ｂは、検出器１５５による干渉光の検出結果に基づいて眼底ＥｆのＯＣＴ画像を形成する。Ｓ１８で得られたＳＬＯ画像及びＯＣＴ画像のそれぞれは高倍率画像である。
【００８９】
以上のように、例えば、図７に示すように、Ｓ８において取得された眼底の広角画像Ｇ１中で注目したい撮影部位Ｒ１（例えば、視神経乳頭近傍の部位）について高倍率で撮影した高倍率画像Ｇ２を取得することが可能になる。また、例えば、図８に示すように、Ｓ８において取得された眼底の広角の断層像Ｈ１中で注目したい撮影部位Ｒ２（例えば、視神経乳頭近傍の部位）について高倍率で撮影した高倍率の断層像Ｈ２を取得することが可能になる。
【００９０】
（Ｓ１９）
次に、制御部２００は、他の部位の撮影を行うか否かを判定する。主制御部２０１は、ＵＩ部２３０に対する操作内容に基づいて、他の部位の撮影を行うか否かを判定する。他の部位の撮影を行うと判定されたとき（Ｓ１９：Ｙ）、眼科撮影装置の動作はＳ１１に移行する。他の部位の撮影を行わないと判定されたとき（Ｓ１９：Ｎ）、眼科撮影装置の動作は終了する（エンド）。
【００９１】
＜変形例＞
（第１変形例）
瞳収差を発生させる光学系の構成は図１〜図３に示す構成に限定されない。例えば、ＳＬＯ光源１３１と光スキャナ１３６との間やＯＣＴ光源１５１と光スキャナ１４２との間に屈折光学素子を配置してもよい。
【００９２】
図９に、実施形態の第１変形例に係る眼科撮影装置の光学系の構成例を示す。図９において、図１と同様の部分には同一符号を付し、適宜説明を省略する。なお、図９は、広角撮影モードに設定されているときの眼科撮影装置の光学系の構成例を表すが、高倍率撮影モードに設定されているときの光学系の構成も図３と同様である。以下では、第１変形例に係る眼科撮影装置について、実施形態との相違点を中心に説明する。
【００９３】
第１変形例に係る光学系１００ａの構成が実施形態に係る光学系１００の構成と異なる点は、ＳＬＯ光学系１３０に代えてＳＬＯ光学系１３０ａが設けられた点と、ＯＣＴ光学系１４０に代えてＯＣＴ光学系１４０ａが設けられた点である。
【００９４】
ＳＬＯ光学系１３０ａの構成がＳＬＯ光学系１３０の構成と異なる点は、ＳＬＯ光源１３１と光スキャナ１３６との間に光束移動部１３８が設けられた点と、光スキャナ１３６における瞳共役位置が変更された点である。
【００９５】
光束移動部１３８は、ＳＬＯ光学系１３０ａの光軸（光軸Ｏ）に直交する面内においてＳＬＯ光源１３１からの光（光束）を移動させる。図９では、光束移動部１３８は、ビームスプリッタＢＳ２と光スキャナ１３６との間に配置されているが、ＳＬＯ光源１３１とビームスプリッタＢＳ２との間に配置されていてもよい。光束移動部１３８は、一対の楔形プリズム１３８Ａ、１３８Ｂを含む。楔形プリズム１３８Ａ、１３８Ｂのそれぞれは、ＳＬＯ光学系１３０ａの光軸に直交する断面の形状が円形をなし、当該光軸に平行な断面の形状が楔形をなしている屈折光学素子である。楔形プリズム１３８Ａ、１３８Ｂのそれぞれは、底面がＳＬＯ光学系１３０ａの光軸に直交し、かつ、斜面が互いに対向するように配置されている。一対の楔形プリズム１３８Ａ、１３８Ｂは、図示しない移動機構（後述の移動機構１３８Ｄ）により一体となってＳＬＯ光学系１３０ａの光軸を中心に回動可能である。また、一対の楔形プリズム１３８Ａ、１３８Ｂの少なくとも一方が、ＳＬＯ光学系１３０ａの光軸に直交する方向に移動可能とされ、相対移動可能又はＳＬＯ光学系１３０ａの光軸に対して挿脱可能であってもよい。光スキャナ１３６Ｘの反射面は被検眼Ｅの瞳と光学的に非共役な位置に配置され、光スキャナ１３６Ｙの反射面は瞳共役位置Ｑ又はその近傍に配置されている。
【００９６】
一対の楔形プリズム１３８Ａ、１３８ＢがＳＬＯ光学系１３０ａの光軸を中心に回動、相対移動又は挿脱されることにより、ＳＬＯ光源１３１から発せられた光束は当該光軸に直交する方向に平行移動し、光束の光スキャナ１３６Ｙの反射面における照射位置は移動する。すなわち、ＳＬＯ光学系１３０ａ（光学系１００ａ）は、瞳共役位置Ｑ又はその近傍においてＳＬＯ光学系１３０ａの光軸に直交する面内における光の通過位置を変更しつつ眼底Ｅｆを光でスキャンする。従って、被検眼Ｅの瞳における光の入射位置が移動することにより、被検眼Ｅの瞳における単位面積当たりの入射光量が減少する。このように瞳収差を敢えて発生させることにより単位面積当たりの入射光量が減少するため、ＳＬＯ光源１３１からの光の眼内に入射可能な光量を増加させることができる。
【００９７】
ＯＣＴ光学系１４０ａの構成がＯＣＴ光学系１４０の構成と異なる点は、ＯＣＴ光源１５１と光スキャナ１４２との間に光束移動部１４４が設けられた点である。
【００９８】
光束移動部１４４は、一対の楔形プリズム１４４Ａ、１４４Ｂを含む。楔形プリズム１４４Ａ、１４４Ｂのそれぞれは、楔形プリズム１３８Ａ、１３８Ｂと同様の構成を備えている。一対の楔形プリズム１４４Ａ、１４４Ｂは、図示しない移動機構（後述の移動機構１４４Ｄ）により一体となってＯＣＴ光学系１４０ａの光軸を中心に回動可能である。また、一対の楔形プリズム１４４Ａ、１４４Ｂの少なくとも一方が、ＯＣＴ光学系１４０ａの光軸に直交する方向に移動可能とされ、相対移動可能又はＯＣＴ光学系１４０ａの光軸に対して挿脱可能であってもよい。
【００９９】
一対の楔形プリズム１４４Ａ、１４４ＢがＯＣＴ光学系１４０ａの光軸を中心に回動、相対移動又は挿脱されることにより、ＯＣＴ光源１５１からの光に基づく測定光ＬＳの光束はＯＣＴ光学系１４０ａの光軸に直交する方向に平行移動し、光束の光スキャナ１４４Ｙの反射面における照射位置は移動する。すなわち、ＯＣＴ光学系１４０ａは、瞳共役位置Ｑ又はその近傍においてＯＣＴ光学系１４０ａの光軸に直交する面内における光の通過位置を変更しつつ眼底Ｅｆを光でスキャンする。従って、被検眼Ｅの瞳における光の入射位置が移動することにより、被検眼Ｅの瞳における単位面積当たりの入射光量が減少する。このように瞳収差を敢えて発生させることにより単位面積当たりの入射光量が減少するため、ＯＣＴ光源１５１からの光に基づく測定光ＬＳの眼内に入射可能な光量を増加させることができる。
【０１００】
図１０に、実施形態の第１変形例に係る眼科撮影装置の処理系の構成例を示す。図１０において、図４又は図９と同様の部分には同一符号を付し、適宜説明を省略する。
【０１０１】
第１変形例に係る眼科撮影装置の処理系は、制御部２００ａを中心に構成される。第１変形例に係る処理系の構成が実施形態に係る処理系の構成と異なる点は、制御部２００に代えて制御部２００ａが設けられた点である。制御部２００ａは、主制御部２０１ａと、記憶部２０２ａとを含む。主制御部２０１ａは、主制御部２０１に機能に加えて、移動機構１３８Ｄ、１４４Ｄを制御することが可能である。記憶部２０２ａは、記憶部２０２の機能に加えて、移動機構１３８Ｄ、１４４Ｄを制御するためのコンピュータプログラムがあらかじめ格納される。
【０１０２】
移動機構１３８Ｄは、一対の楔形プリズム１３８Ａ、１３８Ｂを移動する。移動機構１３８Ｄは、一対の楔形プリズム１３８Ａ、１３８ＢをＳＬＯ光学系１３０ａの光軸を中心に回動させたり、相対移動させたり、当該光軸から挿脱させたりする。例えば、移動機構１３８Ｄには、移動機構を移動するための駆動力を発生するアクチュエータと、この駆動力を伝達する伝達機構とが設けられる。アクチュエータは、例えばパルスモータにより構成される。伝達機構は、例えば歯車の組み合わせやラック・アンド・ピニオンなどによって構成される。主制御部２０１ａは、アクチュエータに対して制御信号を送ることにより、移動機構１３８Ｄに対する制御を行う。
【０１０３】
移動機構１４４Ｄは、一対の楔形プリズム１４４Ａ、１４４Ｂを移動する。移動機構１４４Ｄは、一対の楔形プリズム１４４Ａ、１４４ＢをＯＣＴ光学系１４０ａの光軸を中心に回動させたり、相対移動させたり、当該光軸から挿脱されたりする。例えば、移動機構１４４Ｄには、移動機構を移動するための駆動力を発生するアクチュエータと、この駆動力を伝達する伝達機構とが設けられる。アクチュエータは、例えばパルスモータにより構成される。伝達機構は、例えば歯車の組み合わせやラック・アンド・ピニオンなどによって構成される。主制御部２０１ａは、アクチュエータに対して制御信号を送ることにより、移動機構１４４Ｄに対する制御を行う。
【０１０４】
第１変形例に係る眼科撮影装置の動作は、実施形態と同様であるため説明を省略する。
【０１０５】
一対の楔形プリズム１３８Ａ、１３８Ｂ又は一対の楔形プリズム１４４Ａ、１４４Ｂは、第１変形例に係る「一対のプリズム」の一例である。移動機構１３８Ｄ又は移動機構１４４Ｄは、第１変形例に係る「移動機構」の一例である。ビームスプリッタＢＳ２は、第１変形例に係る「光路分岐素子」の一例である。検出器１３５は、第１変形例に係る「光検出器」の一例である。
【０１０６】
（第２変形例）
実施形態の第１変形例において、屈折光学素子が一対の楔形プリズムである場合について説明したが、実施形態に係る屈折光学素子の構成はこれに限定されない。
【０１０７】
図１１に、実施形態の第２変形例に係る眼科撮影装置の光学系の構成例を示す。図１１において、図９と同様の部分には同一符号を付し、適宜説明を省略する。なお、図１１は、広角撮影モードに設定されているときの眼科撮影装置の光学系の構成例を表すが、高倍率撮影モードに設定されているときの光学系の構成も図３と同様である。以下では、第２変形例に係る眼科撮影装置について、第１変形例との相違点を中心に説明する。
【０１０８】
第２変形例に係る光学系１００ｂの構成が第１変形例に係る光学系１００ａの構成と異なる点は、光束移動部１３８、１４４の構成である。
【０１０９】
第２変形例に係る光束移動部１３８は、一対の楔形プリズム１３８Ａ、１３８Ｂに代えて、平行平面板１３８Ｃを含む。平行平面板１３８Ｃは、厚さが一定の透明な屈折光学素子である。平行平面板１３８Ｃは、ＳＬＯ光学系１３０ａの光軸に対して斜交配置されている。平行平面板１３８Ｃは、移動機構１３８ＤによりＳＬＯ光学系１３０ａの光軸を中心に回動可能である。
【０１１０】
平行平面板１３８Ｃが光軸を中心に回動されることにより、ＳＬＯ光源１３１から発せられた光束は光軸に直交する方向に平行移動し、光束の光スキャナ１３６Ｙの反射面における照射位置は移動する。すなわち、ＳＬＯ光学系１３０ａ（光学系１００ａ）は、瞳共役位置Ｑ又はその近傍においてＳＬＯ光学系１３０ａの光軸に直交する面内における光の通過位置を変更しつつ眼底Ｅｆを光でスキャンする。従って、被検眼Ｅの瞳における光の入射位置が移動することにより、被検眼Ｅの瞳における単位面積当たりの入射光量が減少する。このように瞳収差を敢えて発生させることにより単位面積当たりの入射光量が減少するため、ＳＬＯ光源１３１からの光の眼内に入射可能な光量を増加させることができる。
【０１１１】
第２変形例に係る光束移動部１４４は、一対の楔形プリズム１４４Ａ、１４４Ｂに代えて、平行平面板１４４Ｃを含む。平行平面板１４４Ｃは、平行平面板１３８Ｃと同様に、厚さが一定の透明な屈折光学素子である。平行平面板１４４Ｃは、ＯＣＴ光学系１４０ａの光軸に対して斜交配置されている。平行平面板１４４Ｃは、移動機構１４４ＤによりＯＣＴ光学系１４０ａの光軸を中心に回動可能である。
【０１１２】
平行平面板１４４ＣがＯＣＴ光学系１４０ａの光軸を中心に回動されることにより、ＯＣＴ光源１５１からの光に基づく測定光ＬＳの光束はＯＣＴ光学系１４０ａの光軸に直交する方向に平行移動し、光束の光スキャナ１４４Ｙの反射面における照射位置は移動する。すなわち、ＯＣＴ光学系１４０ａは、瞳共役位置Ｑ又はその近傍においてＯＣＴ光学系１４０ａの光軸に直交する面内における光の通過位置を変更しつつ眼底Ｅｆを光でスキャンする。従って、被検眼Ｅの瞳における光の入射位置が移動することにより、被検眼Ｅの瞳における単位面積当たりの入射光量が減少する。このように瞳収差を敢えて発生させることにより単位面積当たりの入射光量が減少するため、ＯＣＴ光源１５１からの光に基づく測定光ＬＳの眼内に入射可能な光量を増加させることができる。
【０１１３】
第２変形例に係る眼科撮影装置の処理系は、第１変形例と同様であるため説明を省略する。第２変形例に係る眼科撮影装置の動作は、第１変形例と同様であるため説明を省略する。
【０１１４】
移動機構１３８Ｄ又は移動機構１４４Ｄは、第２変形例に係る「移動機構」の一例である。ビームスプリッタＢＳ２は、第２変形例に係る「光路分岐素子」の一例である。検出器１３５は、第２変形例に係る「光検出器」の一例である。
【０１１５】
［効果］
実施形態又はその変形例に係る眼科撮影装置の効果について説明する。
【０１１６】
実施形態に係る眼科撮影装置は、被検眼（被検眼Ｅ）の眼底（眼底Ｅｆ）を光（ＳＬＯ光、ＯＣＴ光（測定光ＬＳ））でスキャンするためのスキャン光学系（光学系１００、１００ａ、１００ｂ、ＳＬＯ光学系１３０、１３０ａ、ＯＣＴ光学系１４０、１４０ａ）を含む。スキャン光学系は、被検眼の瞳と光学的に略共役な位置（瞳共役位置Ｑ又はその近傍）において光軸（ＳＬＯ光学系１３０、１３０ａの光軸、ＯＣＴ光学系１４０、１４０ａの光軸）に直交する面内における光の通過位置を変更しつつ眼底を光でスキャンする。
【０１１７】
このような構成によれば、眼底をスキャンするための光を被検眼の瞳上で移動させることが可能になるため、瞳における単位面積当たりの入射光量を減少させることができる。それにより、規格等で定められた光量の範囲内に抑えて安全性を確保しつつ、眼底をスキャンするために眼内に入射可能な光量を増加させることが可能になる。
【０１１８】
また、実施形態に係る眼科撮影装置では、スキャン光学系は、光を第１方向（Ｘ方向）に偏向する第１光スキャナ（光スキャナ１３６Ｘ、光スキャナ１４２Ｘ）と、第１光スキャナにより偏向された光を第１方向と異なる第２方向（Ｙ方向）に偏向する第２光スキャナ（光スキャナ１３６Ｙ、光スキャナ１４２Ｙ）と、を含み、第１光スキャナの偏向面又は第１光スキャナと第２光スキャナとの間の位置は、瞳と光学的に略共役な位置に配置され、かつ、第２光スキャナの偏向面は瞳と光学的に非共役な位置に配置されていてもよい。
【０１１９】
このような構成によれば、第１光スキャナの偏向面が変更されると、眼底をスキャンするための光の第２光スキャナにおける照射位置を移動することができるため、被検眼の瞳上で光を移動させることが可能になる。それにより、安全性を確保しつつ、眼底をスキャンするために眼内に入射可能な光量を増加させることが可能になる。
【０１２０】
また、実施形態に係る眼科撮影装置では、スキャン光学系は、光スキャナ（光スキャナ１３６、光スキャナ１４２）と、光を出力する光源（ＳＬＯ光源１３１、ＯＣＴ光源１５１）と光スキャナとの間に配置された屈折光学素子（一対の楔形プリズム１３８Ａ、１３８Ｂ、一対の楔形プリズム１４４Ａ、１４４Ｂ、平行平面板１３８Ｃ、１４４Ｃ）と、を含み、屈折光学素子を移動する移動機構（移動機構１３６Ｄ、１４４Ｄ）と、移動機構の制御と、スキャン光学系の制御とを並行して実行する制御部（制御部２００、２００ａ）と、を含んでもよい。
【０１２１】
このような構成によれば、屈折光学素子を移動することにより、眼底をスキャンするための光を被検眼の瞳上で移動させることが可能になるため、瞳における単位面積当たりの入射光量を減少させることができる。それにより、安全性を確保しつつ、眼底をスキャンするために眼内に入射可能な光量を増加させることが可能になる。
【０１２２】
また、実施形態に係る眼科撮影装置では、屈折光学素子は、一対のプリズム（一対の楔形プリズム１３８Ａ、１３８Ｂ、一対の楔形プリズム１４４Ａ、１４４Ｂ）を含み、移動機構は、一対のプリズムを一体的に、又は相対的に移動してもよい。
【０１２３】
このような構成によれば、一対のプリズムを一体的に、又は相対的に移動することにより、眼底をスキャンするための光を被検眼の瞳上で移動させるようにしたので、眼内に入射可能な光量を簡素な構成で増加させることが可能になる。
【０１２４】
また、実施形態に係る眼科撮影装置では、移動機構は、光軸（ＳＬＯ光学系１３０ａの光軸、ＯＣＴ光学系１４０ａの光軸）を中心に一対のプリズムを一体的に回動してもよい。
【０１２５】
このような構成によれば、一対のプリズムを一体的に回動することにより、眼底をスキャンするための光を被検眼の瞳上で移動させるようにしたので、眼内に入射可能な光量を簡素な制御及び構成で増加させることが可能になる。
【０１２６】
また、実施形態に係る眼科撮影装置では、屈折光学素子は、光軸に対して斜交配置された平行平面板（平行平面板１３８Ｃ、１４４Ｃ）を含み、移動機構は、平行平面板を移動してもよい。
【０１２７】
このような構成によれば、光軸に対して斜交配置された平行平面板を用いることにより、眼底をスキャンするための光を被検眼の瞳上で移動させるようにしたので、眼内に入射可能な光量を簡素な構成で増加させることが可能になる。
【０１２８】
また、実施形態に係る眼科撮影装置では、移動機構は、光軸を中心に平行平面板を回動してもよい。
【０１２９】
このような構成によれば、平行平面板を回動することにより、眼底をスキャンするための光を被検眼の瞳上で移動させるようにしたので、眼内に入射可能な光量を簡素な制御及び構成で増加させることが可能になる。
【０１３０】
また、実施形態に係る眼科撮影装置では、スキャン光学系は、光源と光スキャナとの間に配置された光路分岐素子（ビームスプリッタＢＳ２）と、光路分岐素子により形成された分岐光路に配置された光検出器（検出器１３５）と、を含み、屈折光学素子は、光路分岐素子と光スキャナとの間に配置されていてもよい。
【０１３１】
このような構成によれば、光路分岐素子と光スキャナとの間に屈折光学素子を配置するようにしたので、簡素な構成で、安全性を確保しつつ、眼底をスキャンするために眼内に入射可能な光量を増加させることが可能になる。
【０１３２】
また、実施形態に係る眼科撮影装置では、スキャン光学系は、光源と光スキャナとの間に配置された光路分岐素子（ビームスプリッタＢＳ２）と、光路分岐素子により形成された分岐光路に配置された光検出器（検出器１３５）と、を含み、屈折光学素子は、光路分岐素子と光源との間に配置されていてもよい。
【０１３３】
このような構成によれば、光路分岐素子と光源との間に屈折光学素子を配置するようにしたので、簡素な構成で、安全性を確保しつつ、眼底をスキャンするために眼内に入射可能な光量を増加させることが可能になる。
【０１３４】
＜変形例＞
以上に示された実施形態又はその変形例は、この発明を実施するための一例に過ぎない。この発明を実施しようとする者は、この発明の要旨の範囲内において任意の変形、省略、追加等を施すことが可能である。
【０１３５】
前述の実施形態又はその変形例において、図５のＳ９から図６のＳ１０に移行するとき、眼科撮影装置は、Ｓ９の終了後に対物レンズ系１１０や光学系１００などを被検眼Ｅから離れる方向に一旦移動させた後にＳ１０に移行してもよい。
【０１３６】
制御部２００、２００ａは、広角撮影モードのときの作動距離（ワーキングディスタンス）が高倍率撮影モードのときの作動距離より短くなるように少なくとも対物レンズ系１１０（光学系１００）を移動させてもよい。
【０１３７】
前述の実施形態又はその変形例では、光学系１００、１００ａ、１００ｂの構成が図１、図３、図９及び図１１に示す構成である場合について説明したが、実施形態に係る光学系の構成はこれに限定されるものではない。実施形態に係る光学系は、レーザー光を眼底における治療部位に照射するための光学系や、被検眼に固視させた状態で視標を移動させるための光学系などを備えていてもよい。
【０１３８】
前述の実施形態又はその変形例では、対物レンズ系１１０の構成が図１〜図３に示す構成である場合について説明したが、実施形態に係る対物レンズ系の構成はこれに限定されるものではない。
【０１３９】
実施形態に係る前眼部撮影系は、互いに異なる２以上の方向から被検眼Ｅの前眼部を撮影するための２以上のカメラを含んでいてもよい。この場合、実施形態に係るアライメント制御部２０１Ａは、これらのカメラを用いて取得された互いに異なる２以上の方向からの前眼部の撮影画像に基づいて得られる視差からＺ方向のアライメントを実行することが可能である。
【０１４０】
前述の実施形態では、前眼部撮影系１２０を用いて取得された前眼部画像を用いてアライメントを行う場合について説明したが、取得された前眼部画像をＵＩ部２３０に設けられた表示デバイスに表示させてもよい。また、取得された前眼部画像をアライメントに用いなくてもよい。
【符号の説明】
【０１４１】
１００、１００ａ、１００ｂ  光学系
１１０  対物レンズ系
１１０Ａ、１１０Ｂ  対物レンズユニット
１２０  前眼部撮影系
１３０、１３０ａ  ＳＬＯ光学系
１３８、１４４  光束移動部
１３８Ａ、１３８Ｂ、１４４Ａ、１４４Ｂ  楔形プリズム
１３８Ｃ、１４４Ｃ  平行平面板
１３６、１４２  光スキャナ
１４０、１４０ａ  ＯＣＴ光学系
１５０  干渉光学系
２００、２００ａ  制御部
ＤＭ１Ａ、ＤＭ１Ｂ  ダイクロイックミラー
【図１】
2017169672.tif 000003
【図２】
2017169672.tif 000004
【図３】
2017169672.tif 000005
【図４】
2017169672.tif 000006
【図５】
2017169672.tif 000007
【図６】
2017169672.tif 000008
【図７】
2017169672.tif 000009
【図８】
2017169672.tif 000010
【図９】
2017169672.tif 000011
【図１０】
2017169672.tif 000012
【図１１】
2017169672.tif 000013